(57)【要約】【課題】きめ細かく柔軟に広告を出稿し、各ユーザに適した広告を提示する。【解決手段】実施形態の情報処理システム１は、広告対象の商品またはサービスを示す広告情報と、地点条件および日時条件以外の経路探索条件であって前記広告情報の出力条件となる経路探索応用条件とを受付ける出稿情報受付部２２１と、広告情報と経路探索応用条件とを関連付けて記憶する出稿情報データベースを作成するデータベース作成部３２１と、を備える。【選択図】図１
2017207976.tif 000002
【特許請求の範囲】
【請求項１】
広告対象の商品またはサービスを示す広告情報と、地点条件および日時条件以外の経路探索条件であって前記広告情報の出力条件となる経路探索応用条件とを受付ける出稿情報受付手段と、
前記広告情報と前記経路探索応用条件とを関連付けて記憶する出稿情報データベースを作成するデータベース作成手段と、
を備えることを特徴とする情報処理システム。
【請求項２】
前記経路探索応用条件は、駅の発着順によって規定される列車種別条件であることを特徴とする請求項１に記載の情報処理システム。
【請求項３】
前記列車種別条件は、終電検索または始発検索であることを特徴とする請求項２に記載の情報処理システム。
【請求項４】
前記経路探索応用条件は、移動経路の特徴を示す経路特徴条件であることを特徴とする請求項１に記載の情報処理システム。
【請求項５】
前記経路特徴条件は、時間優先、運賃優先、乗換回数優先、徒歩距離優先、ＣＯ２排出量優先、定期券区間優先、エレベーター優先、エレベーター・エスカレーター優先、および景観優先のうち少なくともいずれか一つであることを特徴とする請求項４に記載の情報処理システム。
【請求項６】
前記経路探索応用条件は、徒歩移動の条件を示す徒歩移動条件であることを特徴とする請求項１に記載の情報処理システム。
【請求項７】
前記徒歩移動条件は、徒歩速度、徒歩距離、および徒歩環境のうち少なくともいずれか一つであることを特徴とする請求項６に記載の情報処理システム。
【請求項８】
サーバと通信可能に接続された端末装置において実行される情報処理プログラムであって、コンピュータを、
広告対象の商品またはサービスを示す広告情報と、地点条件および日時条件以外の経路探索条件であって前記広告情報の出力条件となる経路探索応用条件とを受付ける出稿情報受付手段として機能させるための情報処理プログラム。
【請求項９】
端末装置と通信可能に接続されたサーバにおいて実行される情報処理プログラムであって、
前記端末装置は、広告対象の商品またはサービスを示す広告情報と、地点条件および日時条件以外の経路探索条件であって前記広告情報の出力条件となる経路探索応用条件とを受付ける出稿情報受付手段を有し、
前記情報処理プログラムは、コンピュータを、
前記広告情報と前記経路探索応用条件とを関連付けて記憶する出稿情報データベースを作成するデータベース作成手段として機能させるための情報処理プログラム。
【請求項１０】
通信可能に接続された複数のコンピュータによって構成される情報処理システムであって、
広告対象の商品またはサービスを示す広告情報と、地点条件および日時条件以外の経路探索条件であって前記広告情報の出力条件となる経路探索応用条件とを受付ける出稿情報受付手段と、
前記広告情報と前記経路探索応用条件とを関連付けて記憶する出稿情報データベースを作成するデータベース作成手段と、
を備えた情報処理システムを機能させるために、
上記コンピュータの少なくとも１つを上記手段の少なくとも１つとして機能させるための情報処理プログラム。
【請求項１１】
通信可能に接続された複数のコンピュータによって、請求項１〜７のいずれかに記載の情報処理システムを機能させるために、
上記コンピュータのうちの１つを請求項１〜７のいずれかに記載の情報処理システムにおける各手段の少なくとも１つとして機能させるための情報処理プログラム。
【請求項１２】
コンピュータを、請求項１〜７のいずれかに記載の情報処理システムにおける各手段の少なくとも１つとして機能させるための情報処理プログラム。
【請求項１３】
通信可能に接続された複数の情報処理装置によって、
広告対象の商品またはサービスを示す広告情報と、地点条件および日時条件以外の経路探索条件であって前記広告情報の出力条件となる経路探索応用条件とを受付ける出稿情報受付手段と、
前記広告情報と前記経路探索応用条件とを関連付けて記憶する出稿情報データベースを作成するデータベース作成手段と、
を備えた情報処理システムを構成するために、
上記手段の少なくとも１つを備えたことを特徴とする情報処理装置。
【請求項１４】
コンピュータを、
広告対象の商品またはサービスを示す広告情報と、地点条件および日時条件以外の経路探索条件であって前記広告情報の出力条件となる経路探索応用条件とを受付ける出稿情報受付手段、および
前記広告情報と前記経路探索応用条件とを関連付けて記憶する出稿情報データベースを作成するデータベース作成手段、
として機能させるための情報処理プログラム。
【請求項１５】
出稿情報受付手段が、広告対象の商品またはサービスを示す広告情報と、地点条件および日時条件以外の経路探索条件であって前記広告情報の出力条件となる経路探索応用条件とを受付けるステップと、
データベース作成手段が、前記広告情報と前記経路探索応用条件とを関連付けて記憶する出稿情報データベースを作成するステップと、
を備えることを特徴とする情報処理方法。
【請求項１６】
広告対象の商品またはサービスを示す広告情報と、地点条件および日時条件以外の経路探索条件であって前記広告情報の出力条件となる経路探索応用条件とを関連付けて記憶する出稿情報データベース。
【請求項１７】
経路検索条件を受け付ける経路検索条件受付手段と、
広告対象の商品またはサービスを示す広告情報と、地点条件および日時条件以外の経路探索条件であって前記広告情報の出力条件となる経路探索応用条件とを関連付けて記憶する出稿情報データベースにアクセスして、前記受け付けられた経路探索条件に含まれる経路探索応用条件に基づいて前記出稿情報データベースを検索し、前記経路探索応用条件にマッチングする広告情報を取得する広告情報取得手段と、
前記取得された広告情報を出力する情報出力手段と、
を備えることを特徴とする情報処理システム。
【請求項１８】
前記経路探索応用条件は、駅の発着順によって規定される列車種別条件であることを特徴とする請求項１７に記載の情報処理システム。
【請求項１９】
前記経路探索応用条件は、移動経路の特徴を示す経路特徴条件であることを特徴とする請求項１７に記載の情報処理システム。
【請求項２０】
前記経路探索応用条件は、徒歩移動の条件を示す徒歩移動条件であることを特徴とする請求項１７に記載の情報処理システム。
【請求項２１】
サーバと通信可能に接続された端末装置において実行される情報処理プログラムであって、コンピュータを、
経路検索条件を受け付ける経路検索条件受付手段、および
広告対象の商品またはサービスを示す広告情報と、地点条件および日時条件以外の経路探索条件であって前記広告情報の出力条件となる経路探索応用条件とを関連付けて記憶する出稿情報データベースにアクセスして、前記受け付けられた経路探索条件に含まれる経路探索応用条件に基づいて前記出稿情報データベースを検索し、前記経路探索応用条件にマッチングする広告情報を取得する広告情報取得手段により取得された広告情報を出力する情報出力手段
として機能させるための情報処理プログラム。
【請求項２２】
端末装置と通信可能に接続されたサーバにおいて実行される情報処理プログラムであって、
コンピュータを、
広告対象の商品またはサービスを示す広告情報と、地点条件および日時条件以外の経路探索条件であって前記広告情報の出力条件となる経路探索応用条件とを関連付けて記憶する出稿情報データベースにアクセスして、前記端末装置で受け付けられた経路探索条件に含まれる経路探索応用条件に基づいて前記出稿情報データベースを検索し、前記経路探索応用条件にマッチングする広告情報を取得する広告情報取得手段として機能させるための情報処理プログラム。
【請求項２３】
通信可能に接続された複数のコンピュータによって構成される情報処理システムであって、
経路検索条件を受け付ける経路検索条件受付手段と、
広告対象の商品またはサービスを示す広告情報と、地点条件および日時条件以外の経路探索条件であって前記広告情報の出力条件となる経路探索応用条件とを関連付けて記憶する出稿情報データベースにアクセスして、前記受け付けられた経路探索条件に含まれる経路探索応用条件に基づいて前記出稿情報データベースを検索し、前記経路探索応用条件にマッチングする広告情報を取得する広告情報取得手段と、
前記取得された広告情報を出力する情報出力手段と、
を備えた情報処理システムを機能させるために、
上記コンピュータの少なくとも１つを上記手段の少なくとも１つとして機能させるための情報処理プログラム。
【請求項２４】
通信可能に接続された複数のコンピュータによって、請求項１７〜２０のいずれかに記載の情報処理システムを機能させるために、
上記コンピュータのうちの１つを請求項１７〜２０のいずれかに記載の情報処理システムにおける各手段の少なくとも１つとして機能させるための情報処理プログラム。
【請求項２５】
コンピュータを、請求項１７〜２０のいずれかに記載の情報処理システムにおける各手段の少なくとも１つとして機能させるための情報処理プログラム。
【請求項２６】
通信可能に接続された複数の情報処理装置によって、
経路検索条件を受け付ける経路検索条件受付手段と、
広告対象の商品またはサービスを示す広告情報と、地点条件および日時条件以外の経路探索条件であって前記広告情報の出力条件となる経路探索応用条件とを関連付けて記憶する出稿情報データベースにアクセスして、前記受け付けられた経路探索条件に含まれる経路探索応用条件に基づいて前記出稿情報データベースを検索し、前記経路探索応用条件にマッチングする広告情報を取得する広告情報取得手段と、
前記取得された広告情報を出力する情報出力手段と、
を備えた情報処理システムを構成するために、
上記手段の少なくとも１つを備えたことを特徴とする情報処理装置。
【請求項２７】
コンピュータを、
経路検索条件を受け付ける経路検索条件受付手段と、
広告対象の商品またはサービスを示す広告情報と、地点条件および日時条件以外の経路探索条件であって前記広告情報の出力条件となる経路探索応用条件とを関連付けて記憶する出稿情報データベースにアクセスして、前記受け付けられた経路探索条件に含まれる経路探索応用条件に基づいて前記出稿情報データベースを検索し、前記経路探索応用条件にマッチングする広告情報を取得する広告情報取得手段と、
前記取得された広告情報を出力する情報出力手段と、
として機能させるための情報処理プログラム。
【請求項２８】
経路検索条件受付手段が、経路検索条件を受け付けるステップと、
広告情報取得手段が、広告対象の商品またはサービスを示す広告情報と、地点条件および日時条件以外の経路探索条件であって前記広告情報の出力条件となる経路探索応用条件とを関連付けて記憶する出稿情報データベースにアクセスして、前記受け付けられた経路探索条件に含まれる経路探索応用条件に基づいて前記出稿情報データベースを検索し、前記経路探索応用条件にマッチングする広告情報を取得するステップと、
情報出力手段が、前記取得された広告情報を出力するステップと、
を備えることを特徴とする情報処理方法。
【発明の詳細な説明】
【技術分野】
【０００１】
本発明は、情報処理システム、情報処理プログラム、情報処理装置、情報処理方法、および出稿情報データベースに関する。
【背景技術】
【０００２】
従来、経路探索を求めるユーザに対して、出発地や目的地といった地点条件や、出発時刻や到着時刻といった日時条件に基づいて広告を提示する情報処理システムが知られている。
【０００３】
特許文献１に記載の経路案内システムでは、ユーザにより設定された場所、日付、時刻に基づいて広告情報をユーザ端末に表示する。
【先行技術文献】
【特許文献】
【０００４】
【特許文献１】特開２００４−５５０１号公報
【発明の概要】
【発明が解決しようとする課題】
【０００５】
しかしながら、特許文献１では、経路情報を求めるユーザに対して、単に地点や日時のみを広告出力条件として広告を提示しているに過ぎず、各ユーザに適した広告を十分に提示することができなかった。
【０００６】
本発明は、きめ細かく柔軟に広告を出稿することができること、また、各ユーザに適した広告を提示することを目的とする。
【課題を解決するための手段】
【０００７】
本発明に係る情報処理システムは、
広告対象の商品またはサービスを示す広告情報と、地点条件および日時条件以外の経路探索条件であって前記広告情報の出力条件となる経路探索応用条件とを受付ける出稿情報受付手段と、
前記広告情報と前記経路探索応用条件とを関連付けて記憶する出稿情報データベースを作成するデータベース作成手段と、
を備えることを特徴とする。
【０００８】
また、本発明に係る情報処理システムは、
経路検索条件を受け付ける経路検索条件受付手段と、
広告対象の商品またはサービスを示す広告情報と、地点条件および日時条件以外の経路探索条件であって前記広告情報の出力条件となる経路探索応用条件とを関連付けて記憶する出稿情報データベースにアクセスして、前記受け付けられた経路探索条件に含まれる経路探索応用条件に基づいて前記出稿情報データベースを検索し、前記経路探索応用条件にマッチングする広告情報を取得する広告情報取得手段と、
前記取得された広告情報を出力する情報出力手段と、
を備えることを特徴とする。
【発明の効果】
【０００９】
本発明によれば、経路情報の取得要求に潜在しているユーザのニーズを掘り起こすことが可能となる。これにより、各ユーザに適した広告を提示することができる。また、出稿対象とするユーザセグメントの多様化・詳細化を可能とし、広告主は、よりきめ細かく柔軟に広告を出稿することができる。
【図面の簡単な説明】
【００１０】
【図１】実施形態に係る情報処理システム（広告出稿システム）１の概略的な構成を示す図である。
【図２】実施形態に係る出稿情報データベースの一例を示す図である。
【図３】実施形態に係る情報処理システム１の処理動作の一例を示すシーケンス図である。
【図４】実施形態に係る出稿端末２の表示画面（出稿情報入力画面）の一例を示す図である。
【図５】実施形態に係る情報処理システム（広告配信システム）５の概略的な構成を示す図である。
【図６】実施形態に係る情報処理システム５の処理動作の一例を示すシーケンス図である。
【図７】経路探索条件を設定するための端末装置６（パソコンの場合）の表示画面の一例である。
【図８】（ａ）は経路探索条件を設定するための端末装置６（スマートフォンの場合）の表示画面の一例であり、（ｂ）は経路探索結果および広告情報を示す表示画面の一例である。
【図９】（ａ）は経路探索条件を設定するための端末装置６（スマートフォンの場合）の表示画面の一例であり、（ｂ）は経路探索結果および広告情報を示す表示画面の一例である。
【図１０】（ａ）は経路探索条件を設定するための端末装置６（スマートフォンの場合）の表示画面の一例であり、（ｂ）は経路探索結果および広告情報を示す表示画面の一例である。
【発明を実施するための形態】
【００１１】
以下、本発明に係る実施形態について、図面を参照しながら具体的に説明する。
【００１２】
＜広告出稿システム＞
本発明の実施形態に係る情報処理システム１について説明する。この情報処理システム１は、広告情報を出稿するための広告出稿システムであり、モバイル端末（スマートフォン、携帯電話、タブレット端末等）やパソコン等の電子機器（後述の端末装置６）を用いて経路探索を求めるユーザに対し、経路探索結果に加えて、経路探索条件（より正確には後述の経路探索応用条件）に基づく広告を提示する。
【００１３】
情報処理システム１は、図１に示すように、出稿端末２およびサーバ３を備えている。出稿端末２およびサーバ３は、インターネット等のネットワークを介して互いに通信可能に接続されている。ネットワークは、有線回線および無線回線のいずれでもよく、回線の種類や形態は問わない。
【００１４】
出稿端末２は、広告情報を出稿するために出稿者（広告出稿情報入力者）が使用するものであり、例えば、デスクトップ型のパソコンである。なお、出稿端末２は、スマートフォンやタブレット端末等のモバイル端末であってもよい。
【００１５】
出稿端末２は、図１に示すように、通信部２１と、制御部２２と、操作部２３と、表示部２４とを有する。
【００１６】
通信部２１は、ネットワークを介して制御部２２とサーバ３との間で情報を送受信するためのインターフェースである。制御部２２は、出稿情報受付部２２１を有する。操作部２３は、出稿者が出稿端末２に情報を入力するためのインターフェースであり、例えば、キーボード、マウス、タッチパネル、ボタン等である。表示部２４は、液晶ディスプレイ等の映像表示手段であり、出稿端末２から出稿者へ様々な情報を出力する。なお、操作部２３がタッチパネルの場合には、操作部２３が表示部２４を兼ねてもよい。
【００１７】
制御部２２の出稿情報受付部２２１は、広告対象の商品またはサービスを示す広告情報と、経路探索応用条件とを受付ける。ここで、経路探索応用条件とは、地点条件（出発地、目的地等）および日時条件（出発時刻、到着時刻等）以外の経路探索条件であって、広告情報の出力条件となる条件のことである。出稿情報受付部２２１は、出稿者が操作部２３により入力した広告情報および経路探索応用条件を取得する。なお、出稿情報受付部２２１は、出稿端末２内のプロセッサが所定のプログラムを実行することにより実現されてもよい。
【００１８】
次に、サーバ３について説明する。図１に示すように、サーバ３は、通信部３１と、制御部３２と、記憶部３３とを有する。
【００１９】
通信部３１は、ネットワークを介して出稿端末２と、サーバ３の制御部３２との間で情報を送受信するインターフェースである。制御部３２は、データベース作成部３２１を有する。記憶部３３は、例えばハードディスク、ＳＳＤ等から構成され、出稿情報データベース３３１を有する。なお、記憶部３３は、必ずしもサーバ３内に設けられなくてもよく、ネットワークを介して通信可能に接続された別の装置内に設けられてもよい。
【００２０】
制御部３２のデータベース作成部３２１は、出稿情報データベース３３１を作成する。出稿情報データベース３３１は、広告情報と経路探索応用条件とを関連付けて記憶するデータベースである。データベース作成部３２１は、作成した出稿情報データベース３３１を記憶部３３に記憶させる。なお、データベース作成部３２１は、サーバ３内のプロセッサが所定のプログラムを実行することにより実現されてもよい。
【００２１】
出稿情報データベース３３１について図２を参照してより詳しく説明する。図２は、出稿情報データベース３３１の一例を示している。図２に示すように、出稿情報データベース３３１は、広告情報（商品・サービス）を含む出稿者情報と、広告ＩＤ、広告出力条件および広告単価を含む出稿情報とを有する。なお、図２において、出稿情報内の“＊”は任意であることを示している。例えば、広告ＩＤがＣ−１−０１の場合、列車種別が終電検索であることが広告情報の出力条件であり、その他の探索条件は問わない。
【００２２】
出稿者情報は、広告主、商品・サービス、およびグループを含んでいる。図２の例では、広告主には、タクシー事業者Ａ、製薬会社Ｂ、クレジットカード販売代理店Ｃが登録されている。タクシー事業者ＡのサービスはタクシーＡおよび定額タクシーであり、製薬会社Ｂの商品はウコンドリンクＢであり、クレジットカード販売代理店Ｃの商品はクレジットカードＣおよびＤである。
【００２３】
なお、出稿者情報に含まれる「グループ」は、商品・サービスをグループ化するために用いられる。
【００２４】
出稿情報は、図２に示すように、広告ＩＤ、広告出力条件（経路探索基本条件、経路探索応用条件）、および広告単価を含んでいる。経路探索基本条件は、地点条件（出発地および目的地）および日時条件（発着日時）を含む条件のことであり、経路探索を実行する上で基本となる探索条件である。経路探索応用条件は、図２の例では、「列車種別」、「交通手段」、「表示順序」および「徒歩設定」を含んでいる。
【００２５】
「列車種別」は、駅の発着順によって規定される列車種別に係る経路探索条件のことであり、例えば、最終電車を検索する終電検索、始発電車を検索する始発検索である。「交通手段」は、移動するための交通手段等に係る経路探索条件のことであり、例えば、「自動車」、「徒歩のみ」、「自転車のみ」、「タクシー優先利用」等である。図２に示すように、交通手段に係る経路探索条件には、他にも、渋滞を考慮して移動経路を探索する「渋滞考慮」、高速道路等の有料道路を考慮した移動経路の探索を行う「有料道路」、ＥＴＣ搭載車両専用のスマートインターチェンジを考慮した移動経路の探索を行う「スマートＩＣ考慮」等がある。
【００２６】
「表示順序」は、経路探索を実行して得られた移動経路を表示する順序に係る経路探索条件のことあり、例えば、所要時間の短い移動経路を上位に表示する「時間優先」、運賃の安い移動経路を上位に表示する「運賃優先」、乗換回数の少ない移動経路を上位に表示する「乗換回数優先」である。その他、「表示順序」には、徒歩による移動距離の短い移動距離を上位に表示する「徒歩距離優先」、ＣＯ２の排出量の少ない移動経路を上位に表示する「ＣＯ２排出量優先」、定期券の区間が利用可能な移動経路を上位に表示する「定期券区間優先」、エレベーターを利用可能な移動経路を上位に表示する「エレベーター優先」、エレベーターおよびエスカレーターを利用可能な移動経路を上位に表示する「エレベーター・エスカレーター優先」、景観の優れた移動経路を上位に表示する「景観優先」等がある。なお、上記のように、表示順序に係る経路探索条件は、移動経路の特徴を示す条件と言えることから「経路特徴条件」ともいう。
【００２７】
「徒歩設定」は、徒歩移動の条件を示す徒歩移動条件のことであり、例えば、徒歩速度（標準、ゆっくり、せかせか等）、徒歩距離（徒歩による移動距離が短い等）、および徒歩環境（屋根が多い、階段が少ない等）である。
【００２８】
出稿情報の広告単価についても、出稿者が設定可能である。なお、広告単価は、広告の表示回数当たりの単価（表示単価）でもよいし、あるいは広告の選択回数当たりの単価（クリック単価）でもよい。その他、広告単価は、実際に購入ないし利用された商品・サービスの金額に応じて決められた単価（実績単価）でもよい。実績単価を設定する場合、例えば、広告主の売り上げのうち所定の割合を広告単価として設定する。
【００２９】
出稿者が出稿端末２により広告情報、広告出力条件および広告単価を設定すると、データベース作成部３２１は、図２に示すように、広告情報と関連付けて広告情報、広告出力条件および広告単価を出稿情報データベース３３１に記憶させる。
【００３０】
次に、図３を参照して、上記の構成を有する情報処理システム１の処理動作の一例について説明する。
【００３１】
まず、出稿端末２の出稿情報受付部２２１が、広告情報および経路探索応用条件を受け付ける（ステップＳ１１）。なお、本ステップにおいて、出稿情報受付部２２１は、経路探索基本条件を広告出力条件の一部として受け付けてもよい。
【００３２】
より詳しくは、出稿端末２の画面に表示されたユーザインタフェースを介して出稿者が広告情報および経路探索応用条件等を入力することで、出稿情報受付部２２１は広告情報および経路探索応用条件を受け付ける。
【００３３】
図４は、出稿端末２の出稿情報入力画面の一例を示している。なお、ボタンＢは、広告出力条件を追加するためのボタンであり、ボタンＢが選択されると、広告出力条件を設定するためのフィールドが画面に追加される。また、スライダーバーＳは、表示領域を左右に移動させて、設定／表示する出稿情報を切り替えるために使用される。
【００３４】
図４に示すように、出稿者は希望に応じて複数の出稿情報（出稿情報１，２，３，・・・）を設定することが可能である。図４の例では、２つの出稿情報１，２が設定されており、広告主（タクシー事業者Ａ）の広告に係るサービスはタクシー配送である。また、広告出力条件は、出稿情報１の場合、列車種別条件が終電検索であることであり、出稿情報２の場合、列車種別条件が始発検索であり且つ目的地が羽田空港であることである。
【００３５】
なお、複数の広告主間で広告出力条件が衝突することも考えられる。同一の広告出力条件については、一人の広告主にのみ認めるようにしてもよいし、あるいは複数の広告主に認めてもよい。後者の場合、例えば、設定された広告単価が最も高い広告情報が配信される。
【００３６】
出稿情報受付部２２１が広告情報および経路探索応用条件を受け付けた後、出稿端末２の通信部２１が広告情報および経路探索応用条件をサーバ３に送信し（ステップＳ１２）、サーバ３の通信部３１が当該情報を受信する。
【００３７】
次に、サーバ３のデータベース作成部３２１が、出稿端末２から受信した情報に基づいて出稿情報データベース３３１を作成する（ステップＳ１３）。
【００３８】
以上説明したように、情報処理システム１では、出稿端末２を介して少なくとも広告情報と経路探索応用条件を出稿者から受け付け、受け付けた広告情報と経路探索応用条件を関連付けて記憶する出稿情報データベース３３１を作成する。出稿情報データベース３３１は、後述するように、モバイル端末やパソコン等のユーザに広告情報を配信するために利用される。
【００３９】
上記のように、本実施形態に係る広告出稿システムによれば、出稿者は、経路探索応用条件を用いて、きめ細かく柔軟に広告を出稿することができる。
【００４０】
＜広告配信システム＞
次に、情報処理システム５について図５を参照して説明する。この情報処理システム５は、端末装置６を用いて経路探索を求めるユーザに対し、出稿情報データベース３３１を利用して広告を配信するための広告配信システムである。
【００４１】
情報処理システム５は、図５に示すように、端末装置６およびサーバ７を備えている。端末装置６およびサーバ７は、インターネット等のネットワークを介して互いに通信可能に接続されている。ネットワークは、有線回線および無線回線のいずれでもよく、回線の種類や形態は問わない。なお、サーバ７は前述のサーバ３とネットワークを介して通信可能に接続されていてもよい。あるいは、サーバ７はサーバ３と一体のサーバとして構成されてもよい。
【００４２】
端末装置６は、モバイル端末（スマートフォン、携帯電話、タブレット端末等）やパソコン等の電子機器である。この端末装置６は、図５に示すように、通信部６１と、制御部６２と、操作部６３と、表示部６４とを有する。
【００４３】
通信部６１は、ネットワークを介して制御部６２とサーバ７との間で情報を送受信するためのインターフェースである。制御部６２は、経路探索条件受付部６２１と、情報出力部６２２とを有する。なお、制御部６２の各部は、端末装置６内のプロセッサが所定のプログラムを実行することにより実現されてもよい。
【００４４】
操作部６３は、ユーザが端末装置６に情報を入力するためのインターフェースであり、例えば、タッチパネル、キーボード、マイクロフォン（モバイル端末の内蔵マイク等）である。表示部６４は、液晶ディスプレイ等の映像表示手段であり、端末装置６からユーザへ様々な情報を出力する。なお、操作部６３がタッチパネルの場合には、操作部６３が表示部６４を兼ねてもよい。
【００４５】
ここで、制御部６２の経路探索条件受付部６２１および情報出力部６２２について詳しく説明する。
【００４６】
経路探索条件受付部６２１は、操作部６３を介してユーザが設定入力した経路探索条件を受け付ける。経路探索条件は、出発地、目的地および出発時刻等の経路探索基本条件の他に、経路探索応用条件を含む。出発地や目的地は、鉄道の駅に限られず、地点を特定可能な情報、例えば、住所、建物名、郵便番号、電話番号、自宅、会社、バスの停留所、空港、港、あるいはＧＰＳやＷｉｆｉ測位等の測位手段によって検出された現在位置であってもよい。
【００４７】
なお、経路探索条件受付部６２１は、操作部６３を介さずに経路探索条件の全部または一部を取得してもよい。例えば、出発地として、端末装置６が有する測位手段（図示せず）から現在位置を取得してもよいし、出発時刻として、端末装置６が有する時計（図示せず）もしくは外部のサーバから現在時刻を取得してもよい。あるいは、過去の経路探索履歴に基づいて経路探索条件を取得してもよいし、ユーザが事前に登録したルート（通勤・通学ルート、お気に入りルート等）の情報に基づいて経路探索条件を取得してもよい。あるいは、目的地や到着時刻等の情報をスケジューラ等のアプリから取得してもよい。
【００４８】
情報出力部６２２は、サーバ７の広告情報取得部７２３（後述）により取得された広告情報を出力する。情報出力部６２２は、出力する情報を映像信号に変換して表示部６４に出力する。
【００４９】
なお、情報出力部６２２は、表示部６４に情報を出力するものに限定されず、端末装置６の外部に接続される映像表示手段や音声出力手段に情報を出力してもよいし、あるいは、出稿端末２に接続される印刷装置や、端末装置６の内部もしくは外部の記憶装置等に情報を出力してもよい。例えば出力先が音声出力手段である場合、情報出力部６２２は、出力する情報を音声信号に変換して出力する。
【００５０】
次に、サーバ７について説明する。図５に示すように、サーバ７は、通信部７１と、制御部７２と、記憶部７３とを有する。通信部７１は、ネットワークを介して端末装置６と、サーバ７の制御部７２との間で情報を送受信するインターフェースである。
【００５１】
制御部７２は、経路探索部７２１と、移動経路情報取得部７２２と、広告情報取得部７２３とを有する。これら各部は、サーバ７内のプロセッサが所定のプログラムを実行することにより実現されてもよい。
【００５２】
記憶部７３は、例えばハードディスクやＳＳＤ等から構成され、出稿情報データベース７３１および経路ネットワークデータベース７３２を格納する。なお、記憶部７３は、必ずしもサーバ７内に設けられなくてもよく、ネットワークを介して通信可能に接続された別の装置内に設けられてもよい。また、出稿情報データベース７３１および経路ネットワークデータベース７３２は、同じ記憶装置に格納される場合に限られず、異なる記憶装置に別々に格納されてもよい。
【００５３】
出稿情報データベース７３１は、前述のデータベース作成部３２１により作成されたデータベースであり、出稿情報データベース３３１と同じ内容のものである。
【００５４】
経路ネットワークデータベース７３２は、経路探索に用いられるデータベースであり、経路ネットワーク情報として、例えば、交通ネットワーク情報を含む。交通ネットワーク情報は、鉄道やバス等の交通網や道路網を規定する情報である。交通網の情報としては、交通機関の路線情報、時刻表情報、料金情報等を含む。道路網の情報は、例えば交差点等の道路網表現上の結節点（ノード）のデータと、結節点間の道路区間であるリンクのデータとの組み合わせによって表現される。
【００５５】
また、図示しないが、記憶部７３には、地図の表示や地点の検索等に用いる地図情報データベースを含んでいてもよい。地図情報は、全国または各地方の道路地図などの地図データを含み、地図データに対応付けられた地図オブジェクト情報（施設情報、注記情報、記号情報等）を含んでいてもよい。また、記憶部７３には、地点検索や経路探索条件の地点設定等に用いるＰＯＩ情報データベースを含んでいても良い。ＰＯＩ（Ｐｏｉｎｔ  Ｏｆ  Ｉｎｔｅｒｅｓｔ）情報は、地点の位置情報や名称情報等を含む。
【００５６】
次に、制御部７２の各部について詳しく説明する。
【００５７】
経路探索部７２１は、通信部７１を介して端末装置６から受信した経路探索条件に基づいて経路探索を実行する。より詳しくは、経路探索部７２１は、経路ネットワークデータベース７３２を用いて経路探索を実行することにより、経路探索条件を満たす１つまたは複数の移動経路を求め、移動経路を示す移動経路情報を生成する。この移動経路情報は、例えば出発地から目的地までの移動手段や移動距離、所要時間、料金、乗換回数、出発時刻および到着時刻等の情報を含む。また、移動経路情報が示す移動経路は、鉄道を移動手段とする区間のみからなるものに限らず、バス、自動車、徒歩、飛行機など他の移動手段による区間を含む移動経路であってもよい。
【００５８】
移動経路情報取得部７２２は、経路探索部７２１が生成した移動経路情報を取得する。
【００５９】
広告情報取得部７２３は、出稿情報データベース７３１にアクセスして、端末装置６から受信した経路探索条件に含まれる経路探索応用条件に基づいて出稿情報データベース７３１を検索し、経路探索応用条件にマッチングする広告情報を取得する。例えば、終電検索が指定された場合は、終電検索に関連付けられた商品・サービス（図２の例ではタクシーＡ、ウコンドリンクＢ）に関する広告情報を取得する。
【００６０】
次に、図６を参照して、上記の構成を有する情報処理システム５の処理動作の一例について説明する。
【００６１】
まず、端末装置６の経路探索条件受付部６２１が、経路探索条件（経路探索基本条件および経路探索応用条件）を受け付ける（ステップＳ３１）。図７は、端末装置６がパソコンの場合における表示画面の一例を示し、図８（ａ），図９（ａ）および図１０（ａ）は端末装置６がスマートフォンの場合における表示画面の一例を示している。このような画面を介して端末装置６のユーザは経路探索条件を設定する。
【００６２】
次に、端末装置６の通信部６１が、受け付けられた経路探索条件をサーバ７に送信し（ステップＳ３２）、サーバ７の通信部７１が当該経路探索条件を受信する。
【００６３】
次に、サーバ７の経路探索部７２１が、端末装置６から受信した経路探索条件に基づいて経路探索を実行する（ステップＳ４１）。これにより、移動経路情報が生成される。
【００６４】
次に、サーバ７の移動経路情報取得部７２２が、経路探索部７２１により生成された移動経路情報を取得する（ステップＳ４２）。
【００６５】
次に、サーバ７の広告情報取得部７２３が、端末装置６から受信した経路探索条件に含まれる経路探索応用条件に基づいて出稿情報データベース７３１を検索し、経路探索応用条件にマッチングする広告情報を取得する（ステップＳ４３）。すなわち、広告情報取得部７２３は、端末装置６から受信した経路探索応用条件と、出稿情報データベース７３１の広告出力条件に含まれる経路探索応用条件とが一致するレコードを検索することにより広告情報を取得する。
【００６６】
なお、本実施形態では、経路探索を実行する前であっても、経路探索条件に基づいて広告情報を取得することが可能である。このため、ステップＳ４１およびステップＳ４２の処理と、ステップＳ４３の処理とは同時に開始してもよいし、あるいは、ステップ４３をステップＳ４１およびＳ４２より先に開始してもよい。
【００６７】
次に、サーバ７は、通信部７１により移動経路情報および広告情報を端末装置６に送信する（ステップＳ４４）。そして、端末装置６が通信部６１を介して移動経路情報および広告情報を取得する。
【００６８】
次に、端末装置６の情報出力部６２２が、表示部６４に移動経路情報および広告情報を出力する（ステップＳ３３）。そして、表示部６４が移動経路情報および広告情報を表示する。図８（ｂ），図９（ｂ）および図１０（ｂ）は、表示部６４に表示された移動経路情報および広告情報の画面表示例を示している。
【００６９】
図８（ｂ）では、タクシーの広告が移動経路とともに表示されている。この例では、「終電検索」を指定したユーザに対して、電車の代替移動手段としてタクシー（他に、深夜バス等）の広告が配信されている。
【００７０】
図９（ｂ）では、ウコンドリンクの広告が移動経路とともに表示されている。この例では、「終電検索」を指定したユーザには酔客が多いと思われることから、ウコンドリンクの広告が配信されている。
【００７１】
図１０（ｂ）では、クレジットカードの広告が移動経路とともに表示されている。この例では、「定期券区間優先」を指定したユーザに対して、定期券区間の移動や定期券区間沿線の施設の利用によりポイントが貯まりやすいクレジットカード（例えば、利用路線の運営会社が発行するクレジットカード等）の広告が配信されている。
【００７２】
上記の他にも、経路探索応用条件と広告との関連付けには様々なものが考えられる。例えば、「景観優先」を指定したユーザに対してカメラや旅行雑誌等の広告を関連付けてもよい。また、「屋根が多い」という徒歩環境条件を指定したユーザに日焼け止めや傘または傘を販売する店舗（コンビニ等）の広告を関連付けてもよい。また、「ＣＯ２排出量優先」を選択したユーザに電気自動車等のエコカーの広告を関連付けてもよい。また、「運賃優先」を選択したユーザには高速バスや格安航空会社（ＬＣＣ）の広告を関連付けてもよい。また、上述のように経路探索に用いられる経路探索応用条件と、当該経路探索応用条件と関連性が高いと思われる広告とを関連付けるだけではなく、互いに関連性が高くないと思われる経路探索応用条件と広告とを関連付けることも可能である。
【００７３】
以上説明したように、広告配信システムに係る情報処理システム５によれば、経路探索を求めるユーザに対し、広告出力条件がきめ細かく設定された出稿情報データベース７３１を利用して、各ユーザに適した広告を提示することができる。広告主としては、広告対象の商品・サービスを必要とする可能性の高いユーザに対して、より効果的に広告を配信することができる。
【００７４】
なお、図１や図５に示した情報処理システムの構成は一例であり、サーバ３、サーバ７内の構成要件の少なくとも一部がそれぞれ出稿端末２、端末装置６内にあってもよい。例えば、サーバ３内の制御部３２および記憶部３３を出稿端末２内に設けて、通信をすることなく出稿端末２のみで広告を出稿することが可能な広告出稿装置を構成してもよい。
【００７５】
上述した実施形態で説明した情報処理システムの少なくとも一部は、ハードウェアで構成してもよいし、ソフトウェアで構成してもよい。ソフトウェアで構成する場合には、情報処理システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００７６】
また、情報処理システムの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００７７】
さらに、一つまたは複数の情報処理装置によって情報処理システムを機能させてもよい。複数の情報処理装置を用いる場合、情報処理装置のうちの１つをコンピュータとし、当該コンピュータが所定のプログラムを実行することにより情報処理システムの少なくとも１つの手段として機能が実現されてもよい。
【００７８】
また、方法の発明においては、全ての工程（ステップ）をコンピュータによって自動制御で実施するようにしてもよい。また、各工程をコンピュータに実施させながら、工程間の進行制御を人の手によって実施するようにしてもよい。また、さらには、全工程のうちの少なくとも一部を人の手によって実施するようにしてもよい。
【００７９】
上記の記載に基づいて、当業者であれば、本発明の追加の効果や種々の変形を想到できるかもしれないが、本発明の態様は、上述した個々の実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【００８０】
１  情報処理システム
２  出稿端末
２１  通信部
２２  制御部
２２１  出稿情報受付部
２３  操作部
２４  表示部
３  サーバ
３１  通信部
３２  制御部
３２１  データベース作成部
３３  記憶部
３３１  出稿情報データベース
５  情報処理システム
６  端末装置
６１  通信部
６２  制御部
６２１  経路探索条件受付部
６２２  情報出力部
７  サーバ
７１  通信部
７２  制御部
７２１  経路探索部
７２２  移動経路情報取得部
７２３  広告情報取得部
７３  記憶部
７３１  出稿情報データベース
７３２  経路ネットワークデータベース
Ｂ  ボタン
Ｓ  スライダーバー
【図１】
2017207976.tif 000003
【図２】
2017207976.tif 000004
【図３】
2017207976.tif 000005
【図４】
2017207976.tif 000006
【図５】
2017207976.tif 000007
【図６】
2017207976.tif 000008
【図７】
2017207976.tif 000009
【図８】
2017207976.tif 000010
【図９】
2017207976.tif 000011
【図１０】
2017207976.tif 000012